(57)【要約】      （修正有）【課題】正逆の両方向の回転による伐採が行えて伐採性能に優れ、さらに旋回によって伐採方向を変化できる伐採装置を提供する。【解決手段】回転ドラム９の回転に伴ってその周面に設けられた複数の刃体７によって伐採動作を行う伐採装置１において、刃体７が回転ドラム９面の周方向に沿う両端位置のそれぞれに刃部を備えるとともに回転ドラム９が正逆２方向の回転を行い、さらに、ブラケット５に対して本体部３が旋廻変位可能に取り付けられる。【選択図】図１
0003219161.tif 000002
【実用新案登録請求の範囲】
【請求項１】
回転ドラムの回転に伴ってその周面に設けられた複数の刃体によって伐採動作を行う伐採装置において、
前記刃体が前記回転ドラム面の周方向に沿う両端位置のそれぞれに刃部を備え、前記回転ドラムが正逆２方向の回転を行うことを特徴とする伐採装置。
【請求項２】
前記刃体が複数種において取り換え可能に使用されることを特徴とする請求項１記載の伐採装置。
【請求項３】
前記刃体が前記回転ドラム面の周方向に沿って搖動可能に設けられてなる請求項１または２記載の伐採装置。
【請求項４】
当該伐採装置がショベルのアームに連結されるブラケットと前記ブラケットに取り付けられる本体部とから構成され、前記ブラケットに対して前記本体部が旋廻変位可能に取り付けられてなる請求項１または２記載の伐採装置。
【請求項５】
前記回転ドラムの両側位置に取り外し可能に設けられ、取り付け時において前記刃体の回転外周面より下方に突出する脚部を備えてなる請求項１または２記載の伐採装置。
【請求項６】
前記回転ドラムが油圧モータにより直接駆動される請求項１または２記載の伐採装置。
【考案の詳細な説明】
【技術分野】
【０００１】  この考案は、ショベルに連結使用されて草木の伐採等に使用される伐採装置に関する。
【背景技術】
【０００２】  伐採装置は回転ドラムの回転に伴ってその周面に設けられた複数の刃体によって雑草や雑木の伐採動作を行うもので、ショベルのアームの端部に取り付けられて使用される。
【考案の概要】
【考案が解決しようとする課題】
【０００３】  現状の伐採装置は刃体の回転方向が一定であることで、伐採機能に限界がある。雑草や雑木はその形状や立ち方向が様々であって、伐採方向との対応で刃体が一方向に回転するだけでは伐採が十分に行われない問題があった。【０００４】  この考案は上記の事情に鑑みて行ったもので、正逆の両方向の回転による伐採が行われ、伐採性能に優れる伐採装置の提供を目的とする。
【課題を解決するための手段】
【０００５】  この考案では、回転ドラムの回転に伴ってその周面に設けられた複数の刃体によって伐採動作を行う伐採装置において、前記刃体が前記回転ドラム面の周方向に沿う両端位置のそれぞれに刃部を備え、前記回転ドラムが正逆２方向の回転を行うことを特徴とする。【０００６】  上記構成によれば、回転ドラムが正逆２方向に回転され刃体の両端位置それぞれの刃部による伐採が行える。これにより、種々の伐採条件に対応してショベル位置をそのままとして相反する２方向においての伐採が可能となり、伐採効率が向上する。くわえて、両端位置の刃部が兼用されることで刃部それぞれの寿命が長くなり、その取り換えの手間を少なくできる。【０００７】  刃体が複数種において取り換え可能に使用されることで、草木の伐採の他、倒木、立木の伐採、根株の伐採、粉砕等が可能となる。【０００８】  刃体が回転ドラム面の周方向に沿って搖動可能に設けられることで、回転時において伐採に使用される刃部が効率よく草木に当たって他の部分の接触抵抗が少ないことで伐採がスムーズに行われる。とくに、伐採に使用されない側の刃部は草木が当たりにくいことで保護されて損傷しない。【０００９】    伐採装置がショベルのアームに連結されるブラケットとブラケットに取り付けられる本体部とから構成され、ブラケットに対して本体部が旋廻変位可能に取り付けられることで、ブラケットに対して本体部を旋廻変位させることで立木の途中部分での伐採が行える。【００１０】  回転ドラムの両側位置に取り外し可能に設けられ、取り付け時において刃体の回転外周面より下方に突出する脚部を備えることで、両脚部を取り外して回転ドラムにおける刃体の外周面を直接地面に接触させて地面に残る根株を伐採、粉砕することができる。【００１１】  回転ドラムが油圧モータにより直接駆動される構成とされることで、動力伝達ベルト等を用いない簡略な構成において、回転ドラムが安定作動される。
【考案の効果】
【００１２】  この考案によれば、正逆の両方向の回転による伐採が行われて伐採性能に優れる伐採装置が得られ、これにより草木の伐採作業が効率よく行われるようになるとともに、刃部の取り換え作業を少なくできる。
【図面の簡単な説明】
【００１３】
【図１】  この考案の伐採装置の実施形態の斜視図
【図２】  この考案の伐採装置の実施形態の平面図
【図３】  この考案の伐採装置の実施形態の回転ドラム部分の断面構成略図
【図４】  この考案の伐採装置の実施形態の本体部とブラケットとの接続部の断面構成図
【図５】  この考案の伐採装置の実施形態の刃体部分の斜視図
【図６】  この考案の伐採装置の実施形態の刃体部分の側面図
【図７】  この考案の伐採装置の実施形態の異なる刃片の斜視図
【図８】  この考案の伐採装置の実施形態の使用説明平面略図
【図９】  この考案の伐採装置の実施形態の使用説明図
【図１０】  この考案の伐採装置の実施形態の使用説明平面略図
【図１１】  この考案の伐採装置の実施形態の使用説明側面図
【考案を実施するための形態】
【００１３】  図１はこの考案の伐採装置の斜視図、図２は平面図である。伐採装置１は伐採機能を発揮する本体部３とショベルの作動支持体（ムーブ及びアーム）に連結されるブラケット５とからなる。本体部３は横長で下側が開放するケーシング６内に、スペーサー８を介して多数の刃体７が取り付けられた回転ドラム９が納められて構成されている。ケーシング６は両端に位置する側部１１とその間の上側に位置するカバー部１３とカバー部１３の中央上部に位置する取り付け台部１４とからなり、図３に示すように、側部１１それぞれの位置で両端の軸部１５が軸支されて回転ドラム９がケーシング６内に設けられている。１２のそれぞれは脚部であり、ケーシング６の側部１１の下部にネジ固定により取り外し可能に設けられている。
【００１４】  上記ケーシング６の一方の側部１１には外方から油圧モータ２０が組み込まれており、その油圧モータ２０の駆動軸２２が回転ドラム９の一方の軸部１５に連結され、油圧モータ２０が駆動されることで回転ドラム９が回転する。２３は油圧モータ２０に接続される油ホースである。
【００１５】  ケーシング６の取り付け台部１４の上部には、図４に示すように、環状の内歯旋回ギヤ２５が設けられており、この内歯旋回ギヤ２５にブラケット５の円形の底板２上に固定された油圧モータ３０の下方に突出する駆動軸３２に取り付けられたピニオン３４が歯合し、これにより油圧モータ３０が駆動されることで、ブラケット５に対して本体部３が旋廻変位されるようになっている。
【００１６】  図５、図６は回転ドラム９面への刃体７の取り付け構成を示し、刃体７は回転ドラム９面に軸方向において、周方向において所定の間隔において複数個のものが配置されている。刃体７は基台４０の両端面に刃片（刃部）４２のそれぞれがネジ４３で固定されて構成されている。４４は回転ドラム９面に固設された取り付け台で、底部４７と相対する一対の側部４８とからなる。刃体７は基台４０の中央位置が取り付け台４４の側部４８間に取り付けられたピン４９で軸支されて取り付けられ、これにより刃体７は回転ドラム９面の周方向に沿って搖動可能に取り付けられている。その搖動は基台４０の下面と取り付け台４４の底部４７の上面との間のクリアランスＣ幅において生じ、Ｐ１位置とＰ２位置とが、Ｑ１位置とＱ２位置とがそれぞれ当接することで搖動幅が規制される。刃片４２はネジ４３を外すことで取り外し可能で、一方の刃片４２が摩耗した場合には上下位置を逆として使用することができ、また、図７に示すような異なる形態の刃片４２に取り換えることができる。
【００１７】  刃体７が上記のように基台４０の両端面に刃片４２を備えるとともに、回転ドラム９面に搖動可能に取り付けられていることで、図６に示すように、回転ドラム９の正転（矢印Ｘ）時には被伐採物が当たることで搖動した刃体４２Ａによる伐採が行われ、逆転（矢印Ｙ）時には被伐採物が当たることで搖動した刃体４２Ｂによる伐採が行われる。このような構成により、それぞれの回転時において伐採に使用される刃片４２が効率よく草木に当たり、他の部分の接触抵抗が少ないことで伐採がスムーズに行われる。
【００１８】  以下、ショベルによる伐採装置１を使用について説明する。図８は草や低木の伐採時を示し、ショベル１００はキャビン１０１側がクローラ１０２側に対して９０°回動され、クローラ１０２側から作動支持体１０５が側方に延び出した位置にある。伐採装置１がその長手方向を作動支持体１０５方向と同様とし、かつ、その回転ドラム９の回転伐採面を下方として配置されている。この状態において伐採装置１が作動されショベル１００が矢印Ａ方向に移動されることで、回転伐採面によって草や低木の伐採が行われる。その際、ショベル１００の移動方向に対応して、回転ドラム９が正転、逆転されることで、伐採が効率良く行われる。また、伐採装置１の下方に移動方向に沿うように倒木Ｔ１が配置されることで、回転伐採面によって倒木Ｔ１の粉砕が行われる。
【００１９】  上記の草木の伐採は、図１に示すように、ケーシング６の両側部１１の下部に脚部１２それぞれが取り付けられた状態で行われる。脚部１２それぞれが刃体７の回転ドラム９における刃体７の回転外周面より下方に突出していることで地面に当接してガイドとなり、伐採が安定して行われる。これに対し、両脚部１２を取り外して回転ドラム９における刃体７の外周面を直接地面２００に接触させることで、図９に示すように、地面２００に残る根株Ｎを、例えば、地面下約８ｃｍの深さ位置まで伐採、粉砕するように使用することができる。その際には、草木用の刃片４２に代えて根株用の刃片４２が使用される。
【００２０】  図８に示す状態において、ショベル１００においてキャビン１０１側がクローラ１０３側に対して矢印Ｂで示すように９０°復帰回動されるとともに、油圧モータ３０が駆動されることでブラケット５に対して本体部３が、図１０に示すように、矢印Ｃ方向に９０度旋廻変位され、さらに、作動支持体１０５の作動により伐採装置１の回転伐採面が前方に向くように変位された状態において、ショベル１００が矢印Ｄ方向である前方に移動することで、図１１に示すように、高さのある立木Ｔ２を途中部分において切断伐採が行われる。
【符号の説明】
【００２１】  １    伐採装置
３    ブラケット
５    本体
７    刃体
９    回転ドラム
４２  刃片（刃部）
【図１】
0003219161.tif 000003
【図２】
0003219161.tif 000004
【図３】
0003219161.tif 000005
【図４】
0003219161.tif 000006
【図５】
0003219161.tif 000007
【図６】
0003219161.tif 000008
【図７】
0003219161.tif 000009
【図８】
0003219161.tif 000010
【図９】
0003219161.tif 000011
【図１０】
0003219161.tif 000012
【図１１】
0003219161.tif 000013